(57)【要約】【課題】複数のチャネルを用いて相互通信を行なう際に、各チャネルに対応した伝送方式および伝送速度を選択することができる無線通信装置を提供すること。【解決手段】受信チャネル処理部１１０〜１３０が、それぞれの入力受信信号の受信状態に基づいて自局チャネル受信情報を生成し、チャネル情報処理部３０が、受信チャネル処理部１１０〜１３０が生成した自局チャネル受信情報およびリソース情報に基づいて自局フィードバック情報を生成し、生成した自局フィードバック情報を送信に用いるチャネルで送信する無線信号に挿入する。また、ＭＡＣ部２０が、相手側無線通信装置が挿入した各自局フィードバック情報（自装置の送信元フィードバック情報）に基づいて、各チャネルの伝送方式および伝送速度を決定し、決定した伝送方式および伝送速度に基づいて送信チャネル処理部４１０〜４３０が、各無線信号を送信する。【選択図】      図２
2005012454.tif 000002
【特許請求の範囲】
【請求項１】
無線通信システムに適用され、使用可能な１または複数のチャネルを用いて前記無線通信システム内の相手側無線通信装置と通信を行う無線通信装置であって、
前記無線通信システムの複数のチャネルの入力受信信号をそれぞれ受信する際に、各チャネルの入力受信信号の受信状態を測定して、これら測定結果に基づいて各チャネルの自局チャネル受信情報を生成するとともに、前記入力受信信号に対して受信処理を施して復号信号を生成する受信処理部と、
２個以上のチャネルを用いてデータを送信する場合、送信データを用いてチャネル毎の送信フレームを生成するＭＡＣ部と、
前記各送信フレームを含む無線信号を生成する送信処理部と、
前記各自局チャネル受信情報に基づいて自局フィードバック情報を生成し、この生成した自局フィードバック情報を１つまたは複数の前記無線信号に挿入するチャネル情報処理部と、
を備え、
前記自局フィードバック情報を含んだ無線信号を送信することを特徴とする無線通信装置。
【請求項２】
前記チャネル情報処理部は、
前記各自局チャネル受信情報および前記ＭＡＣ部の処理負荷であるリソース情報に基づいて、前記自局フィードバック情報を生成することを特徴とする請求項１に記載の無線通信装置。
【請求項３】
前記チャネル情報処理部が自局フィードバック情報を挿入する際に、前記各チャネル受信情報に基づいて前記自局フィードバック情報を挿入する無線信号を選択するセレクタ、
をさらに備えたことを特徴とする請求項１または２に記載の無線通信装置。
【請求項４】
前記受信処理部は、
前記各入力受信信号内に前記相手側無線通信装置が挿入した送信元フィードバック情報が挿入されている場合、該送信元フィードバック情報を抽出し、
前記ＭＡＣ部は、
前記抽出した送信元フィードバック情報に基づいて、伝送方式および伝送速度を決定し、
前記送信処理部は、
前記伝送方式および伝送速度に基づいて無線信号を生成することを特徴とする請求項１〜３の何れか一つに記載の無線通信装置。
【請求項５】
前記受信処理部は、
前記各入力受信信号内に前記相手側無線通信装置が挿入した送信元フィードバック情報が挿入されている場合、該送信元フィードバック情報を抽出し、
前記ＭＡＣ部は、
受信時には前記復号信号内に含まれる送信元アドレスを抽出し、送信時には送信データの宛先アドレスを抽出し、
前記チャネル情報処理部は、
受信時には前記自局チャネル受信情報と、前記抽出した送信元フィードバック情報と、前記抽出した送信元アドレスとを対応させて記憶する自局フィードバックテーブルを生成し、送信時には前記宛先アドレスをキーワードに前記自局フィードバックテーブルを検索して、前記自局フィードバックテーブルに記憶されている送信元アドレスと前記宛先アドレスとが一致した送信元アドレスに対応する自局チャネル受信情報に基づいて前記自局フィードバック情報を生成するとともに、前記自局フィードバックテーブルに記憶されている送信元アドレスと前記宛先アドレスとが一致した送信元アドレスに対応した送信元フィードバック情報に基づいて伝送方式および伝送速度を決定し、
前記送信処理部は、
前記伝送方式および伝送速度に基づいて無線信号を生成することを特徴とする請求項１〜３の何れか一つに記載の無線通信装置。
【請求項６】
無線通信システムに適用され、使用可能な１または複数のチャネルを用いて前記無線通信システム内の相手側無線通信装置と通信を行う無線通信装置であって、
前記無線通信システムの複数のチャネル毎の入力受信信号をそれぞれ受信する際に、各チャネルの入力受信信号の受信状態を測定して、これら測定結果に基づいて各チャネルの自局チャネル受信情報を生成するとともに、前記入力受信信号に対して受信処理を施して復号信号を生成する受信処理部と、
２個以上のチャネルを用いてデータを送信する場合、各自局チャネル受信情報に基づいて自局フィードバック情報を生成し、さらに送信データを用いてチャネル毎の送信フレームを生成し、前記自局フィードバック情報を１つまたは複数の送信フレームに挿入するＭＡＣ部と、
前記各送信フレームを含む無線信号を生成して、この生成した無線信号を送信する送信処理部と、
を備えることを特徴とする無線通信装置。
【請求項７】
前記ＭＡＣ部は、
前記各自局チャネル受信情報および処理負荷であるリソース情報に基づいて、前記自局フィードバック情報を生成することを特徴とする請求項６に記載の無線通信装置。
【請求項８】
前記ＭＡＣ部は、
前記復号信号内に前記相手側無線通信装置が挿入した送信元フィードバック情報が挿入されている場合、該送信元フィードバック情報を抽出し、この抽出した送信元フィードバック情報に基づいて、伝送方式および伝送速度を決定し、
前記送信処理部は、
前記伝送方式および伝送速度に基づいて無線信号を生成することを特徴とする請求項６または７に記載の無線通信装置。
【請求項９】
前記ＭＡＣ部は、
受信時には前記復号信号内に含まれる送信元アドレスを抽出し、前記自局チャネル受信情報と抽出した送信元アドレスとを対応させて記憶する自局チャネル受信情報テーブルを生成し、
送信時には送信するデータが自局フィードバック情報を通知するためのフィードバックフレームである場合、前記フィードバックフレーム内の宛先アドレスを抽出し、この抽出した宛先アドレスをキーワードにして前記自局チャネル受信情報テーブルを検索して、前記自局チャネル受信情報テーブルに記憶されている送信元アドレスと前記宛先アドレスとが一致した送信元アドレスに対応する自局チャネル受信情報に基づいて前記自局フィードバック情報を生成し、この生成した自局フィードバック情報を前記フィードバックフレームに挿入することを特徴とする請求項６〜８の何れか一つに記載の無線通信装置。
【請求項１０】
前記ＭＡＣ部は、
前記自局チャネル受信情報テーブルを生成する際に、生成した時刻をさらに記憶しておき、前記自局チャネル情報テーブルに記憶されている情報を用いる場合に、現在時刻と生成した時刻とを比較して、比較の結果、現在時刻と生成した時刻との差が所定の範囲以内の場合、前記自局チャネル情報テーブルの自局チャネル受信情報に基づいて前記自局フィードバック情報を生成し、現在時刻と生成した時刻との差が所定の範囲を超えていた場合、前記自局フィードバック情報を生成しないことを特徴とする請求項９に記載の無線通信装置。
【請求項１１】
前記ＭＡＣ部は、
前記復号信号が前記相手側無線通信装置からのフィードバックフレームである場合、前記復号信号内に含まれる送信元アドレスと抽出し、前記フィードバックフレーム内に含まれる送信元フィードバック情報を抽出し、前記送信元アドレスと、前記送信元フィードバック情報とを対応させて記憶する送信元フィードバック情報テーブルを生成し、
送信時には送信するデータから宛先アドレスを抽出し、この抽出した宛先アドレスをキーワードにして前記送信元フィードバック情報テーブルを検索して、前記宛先アドレスと前記送信元フィードバック情報テーブルに記憶されている送信元アドレスとが一致した送信元アドレスに対応する送信元フィードバック情報に基づいて、伝送方式および伝送速度を決定することを特徴とする請求項６〜８の何れか一つに記載の無線通信装置。
【請求項１２】
前記ＭＡＣ部は、
前記送信元フィードバック情報テーブルを生成する際に、生成した時刻をさらに記憶しておき、前記送信元フィードバック情報テーブルに記憶されている情報を用いる場合に、現在時刻と生成した時刻とを比較して、比較の結果、現在時刻と生成した時刻との差が所定の範囲以内の場合、前記送信元フィードバック情報テーブルの送信元フィードバック情報に基づいて伝送方式および伝送速度を決定し、現在時刻と生成した時刻との差が所定の範囲を超えた場合には、予め定められた伝送方式および伝送速度に決定することを特徴とする請求項１１に記載の無線通信装置。
【発明の詳細な説明】
【０００１】
【発明の属する技術分野】
本発明は、複数のチャネルを同時に使用して相互通信を行なう無線通信装置に関するものであり、特に、使用するチャネルの受信状態を相手側無線通信装置に通知して適切な通信方式および通信速度を選択する無線通信装置に関するものである。
【０００２】
【従来の技術】
近年、無線通信装置においても通信速度の高速化が要求されている。そのため、無線通信システムでは、複数のチャネルを用いて伝送容量を増やすことで通信速度の高速化を実現している。
【０００３】
複数のチャネルを使用して通信速度の高速化を実現する従来技術では、広帯域の伝送帯域が必要となる特定の通信ユニットシステムと特定の端末ユニットシステムとの間の経路には、予め複数のチャネルを割り当て確保しておくことで複数チャネルの通信を行うようにしている（たとえば、特許文献１参照）。
【０００４】
【特許文献１】
特開２００２−１３５３０４号公報
【０００５】
【発明が解決しようとする課題】
しかしながら、無線通信の場合、障害物や気象条件（雨天など）などの環境によって通信状態が変化する。また、移動通信の場合には、移動により通信状態は時刻とともにたえず変化する。上記従来技術では、複数チャネルの通信を行なう際に、通信状態に適した伝送方式および伝送速度を選択する技術は開示されていない。そのため、チャネル毎に通信状態に適した伝送方式および伝送速度を選択することはできないという問題があった。
【０００６】
たとえば、上記従来技術において、伝送速度が速い変調方式を採用した場合、伝送速度は速くなるが伝送路の状態の悪いところでは通信ができなくなり、再送要求が増え、結果的にスループットを低下させてしまう。また、伝送路の状態の悪い場合でも通信可能な変調方式を採用したとすると、通信速度が低下してしまい、複数チャネルを用いて伝送容量を増やすメリットが少なくなってしまう。
【０００７】
この発明は上記に鑑みてなされたもので、複数のチャネルを用いて相互通信を行なう際に、各チャネルに対応した伝送方式および伝送速度を選択することができる無線通信装置を得ることを目的としている。
【０００８】
【課題を解決するための手段】
上記目的を達成するために、この発明にかかる無線通信装置は、無線通信システムに適用され、使用可能な１または複数のチャネルを用いて前記無線通信システム内の相手側無線通信装置と通信を行う無線通信装置であって、前記無線通信システムの複数のチャネルの入力受信信号をそれぞれ受信する際に、各チャネルの入力受信信号の受信状態を測定して、これら測定結果に基づいて各チャネルの自局チャネル受信情報を生成するとともに、前記入力受信信号に対して受信処理を施して復号信号を生成する受信処理部と、２個以上のチャネルを用いてデータを送信する場合、送信データを用いてチャネル毎の送信フレームを生成するＭＡＣ部と、前記各送信フレームを含む無線信号を生成する送信処理部と、前記各自局チャネル受信情報に基づいて自局フィードバック情報を生成し、この生成した自局フィードバック情報を１つまたは複数の前記無線信号に挿入するチャネル情報処理部とを備え、前記自局フィードバック情報を含んだ無線信号を送信することを特徴とする。
【０００９】
この発明によれば、受信処理部が、各チャネルの入力受信信号の受信状態に基づいて自局チャネル受信情報を生成し、チャネル情報処理部が、受信処理部が生成した自局チャネル受信情報に基づいて自局フィードバック情報を生成し、生成した自局フィードバック情報を無線信号に挿入して送信するようにしている。
【００１０】
【発明の実施の形態】
以下に添付図面を参照して、この発明にかかる無線通信装置の好適な実施の形態を詳細に説明する。
【００１１】
図１は、この発明における無線通信装置が適用される無線通信システムの構成を示す概略図である。この発明における無線通信装置が適用される無線通信システムは、複数（この場合は３つ）のチャネルを用いた無線エリア５を介して相互通信を行なう複数（この場合は４台、ただし、チャネル数と無線通信エリア内の無線通信装置の台数とは無関係である）の無線通信装置１〜４で構成され、無線通信装置１〜４はすべて同じ機能を備えているものとする。
【００１２】
なお、この無線通信装置のチャネルは、たとえば、周波数、時間、符合、空間（ＭＩＭＯ（Ｍｕｌｔｉ  Ｉｎｐｕｔ  Ｍｕｌｔｉ  Ｏｕｔｐｕｔ））において、通信を行うために設定された通信路を示している。
【００１３】
実施の形態１．
図２を用いて本発明の実施の形態１を説明する。図２は、この発明における実施の形態１の無線通信装置１の送受信機能の構成を示すブロック図である。この発明における実施の形態１の無線通信装置１は、自装置が使用可能なチャネルの数に対応した複数（この場合は３つ）の受信チャネル処理部１１０〜１３０を有する受信処理部１０と、ＭＡＣ（Ｍｅｄｉａ  Ａｃｃｅｓｓ  Ｃｏｎｔｒｏｌ）部２０と、チャネル情報処理部３０と、自装置が使用可能なチャネルの数に対応した複数（この場合は３つ）の送信チャネル処理部４１０〜４３０を有する送信処理部４０とを備えている。
【００１４】
受信チャネル処理部１１０は、対応するチャネルの入力受信信号を受信して同期処理、復調処理および復号処理を施す。また、受信チャネル処理部１１０は、それぞれのチャネルの入力受信信号の受信レベルを測定する。そして、測定した受信レベルまたはＲＳＳＩ（Ｒｅｃｅｉｖｅ  Ｓｉｇｎａｌ  Ｓｔｒｅｎｇｔｈ  Ｉｎｄｉｃａｔｉｏｎ）と、自チャネルの処理によるメモリ、バッファ、ＣＰＵ（Ｃｅｎｔｒａｌ  Ｐｒｏｃｅｓｓｉｎｇ  Ｕｎｉｔ）などの物理リソースおよび制御信号やメモリ内部の状態リソースである受信チャネル処理内部情報とに基づいて自局チャネル受信情報を生成する。受信チャネル処理部１１０は、入力受信信号内にフィードバック情報が含まれているか否かを判定する。フィードバック情報とは、チャネルの受信状態情報、メモリやＣＰＵやバッファの状態など全体のリソースにかかわる情報である。
【００１５】
受信チャネル処理部１２０，１３０は、受信チャネル処理部１１０と同じ機能を備えており、それぞれに対応するチャネルに対して受信チャネル処理部１１０と同様の処理を行う。
【００１６】
受信動作時には、ＭＡＣ部２０は、物理通信メディアである受信チャネル処理部１１０〜１３０を制御するとともに、各復号信号に対してプロトコル変換、フレーム変換等の処理を行って受信フレームを生成する。また、各復号信号内にフィードバック情報が含まれているか否かを判定する。
【００１７】
送信動作時には、ＭＡＣ部２０は、上位レイヤから入力される送信フレームに対してプロトコル変換、フレーム変換等の処理を行って各チャネルの送信フレームを生成する。また、ＭＡＣ部２０は、チャネル情報処理部３０とリソース情報を交換して、チャネル情報処理部３０から入力される送信元からの各チャネルのフィードバック情報に基づいて各チャネルの伝送方式および伝送速度を決定する。
【００１８】
チャネル情報処理部３０は、ＭＡＣ部２０と相互にメモリ、バッファ、ＣＰＵなどの物理リソースおよび制御信号やメモリ内部の状態リソースであるリソース情報を交換して受信動作を行なうとともに、受信チャネル処理部１１０〜１３０から入力される各自局チャネル受信情報およびリソース情報に基づいて自局フィードバック情報を生成する。自局フィードバック情報は、自局チャネル受信情報およびリソース情報の決められた全てでもよいし、自局チャネル受信情報およびリソース情報の中から、毎回取捨選択して集約した情報であってもよい。
【００１９】
また、チャネル情報処理部３０は、受信チャネル処理部１１０〜１３０またはＭＡＣ部２０から入力されるぞれぞれの送信元フィードバック情報が同一の内容であるかを判定する。判定は、たとえば、ＣＲＣ（Ｃｙｃｌｉｃ  Ｒｅｄｕｎｄａｎｃｙ  Ｃｈｅｃｋ）チェックを使用している場合には、ＣＲＣチェックがエラーであったものを破棄して正常であったものだけを採用したり、あるいは、各送信元フィードバック情報で内容が一致しているもので一番数の多いものを採用したり、Ｃ／Ｎ（Ｃａｒｒｉｅｒ／Ｎｏｉｓｅ比）やＤ／Ｕ（Ｄｅｓｉｒｅｄ／Ｕｎｄｅｓｉｒｅｄ比）を各チャネル毎に測定して、最もＣ／Ｎ、Ｄ／Ｕの高いチャネルの送信元フィードバック情報を採用したり、あるいは、全ての情報に対して確からしさによる重み付けを合成して、その重み付けに基づいて各送信元フィードバック情報を採用するようにする。
【００２０】
チャネル情報処理部３０は、判定の結果誤ったチャネルの送信元フィードバック情報を破棄して、正確な送信元フィードバック情報から各チャネルのフィードバック情報を取り出す。
【００２１】
送信チャネル処理部４１０は、伝送制御情報に基づいてチャネルの伝送方式および伝送速度を選択する。そして、選択した伝送方式および伝送速度に基づいて、ＭＡＣ部２０から入力される送信フレームおよびチャネル情報処理部３０から入力される自局フィードバック情報に対して、符号化処理、変調処理を施して無線信号を生成する。
【００２２】
送信チャネル処理部４２０，４３０は、送信チャネル処理部４１０と同じ機能を備えており、それぞれに対応するチャネルに対して送信チャネル処理部４１０と同様の処理を行う。
【００２３】
つぎに、無線通信装置の動作について説明する。まず、受信動作を説明する。受信チャネル処理部１１０〜１３０は、それぞれ対応するチャネルの入力受信信号を受信して同期処理、復調処理および復号処理を施して、復号信号をＭＡＣ部２０に出力するとともに、それぞれのチャネルの入力受信信号の受信レベルを測定して、測定した各受信レベルと、受信チャネル処理内部情報とに基づいて自局チャネル受信情報を生成する。そして、生成した自局チャネル受信情報をチャネル情報処理部３０に出力する。また、受信チャネル処理部１１０〜１３０は、入力受信信号内にフィードバック情報が含まれているか否かを判定して、入力受信信号内にフィードバック情報が含まれている場合には、入力受信信号内のフィードバック情報を送信元フィードバック情報としてチャネル情報処理部３０に出力する。
【００２４】
ＭＡＣ部２０は、受信チャネル処理部１１０〜１３０からそれぞれ入力される復号信号に対してプロトコル変換、フレーム変換等の処理を行って受信フレームを生成して上位レイヤに出力する。また、各復号信号内にフィードバック情報が含まれているか否かを判定して、フィードバック情報が含まれている場合には、復号信号内のフィードバック情報を送信元フィードバック情報としてチャネル情報処理部３０に出力する。
【００２５】
つぎに、送信動作を説明する。チャネル情報処理部３０は、受信チャネル処理部１１０〜１３０から入力される各自局チャネル受信情報およびリソース情報に基づいて自局フィードバック情報を生成し、生成した自局フィードバック情報をコピーして、送信チャネル処理部４１０〜４３０に出力するとともに、受信チャネル処理部１１０〜１３０またはＭＡＣ部２０から入力されるぞれぞれの送信元フィードバック情報から、正確な送信元フィードバック情報を抽出して、抽出した各チャネルのフィードバック情報をＭＡＣ部２０に出力する。
【００２６】
ＭＡＣ部２０は、上位レイヤから入力される送信フレームに対してプロトコル変換、フレーム変換等の処理を行って各チャネルの送信フレームを生成する。そして、生成した各送信フレームを送信チャネル処理部４１０〜４３０に出力する。また、ＭＡＣ部２０は、チャネル情報処理部３０とリソース情報を交換して、チャネル情報処理部３０から入力される送信元からの各チャネルのフィードバック情報に基づいて各チャネルの伝送方式および伝送速度を決定する。そして、各チャネル毎に決定した伝送方式および伝送速度を伝送制御情報として送信チャネル処理部４１０〜４３０に出力する。
【００２７】
送信チャネル処理部４１０〜４３０は、ＭＡＣ部２０から入力されるそれぞれの伝送制御情報に基づいてチャネルの伝送方式および伝送速度を選択する。そして、選択した伝送方式および伝送速度に基づいて、ＭＡＣ部２０から入力される送信フレームおよびチャネル情報処理部３０から入力される自局フィードバック情報に対して、符号化処理、変調処理を施して無線信号を生成する。そして、生成した無線信号を出力する。
【００２８】
このようにこの実施の形態１では、受信チャネル処理部１１０〜１３０が、それぞれの入力受信信号の受信状態に基づいて自局チャネル受信情報を生成し、チャネル情報処理部３０が、受信チャネル処理部１１０〜１３０が生成した自局チャネル受信情報およびリソース情報に基づいて自局フィードバック情報を生成し、生成した自局フィードバック情報を送信に用いるチャネルで送信する無線信号に挿入するようにしているため、相手側無線通信装置に、各チャネルの状態を通知することができ、相手側無線通信装置が各チャネルの状態に適した伝送方式および伝送速度を選択することができるようにしている。
【００２９】
また、ＭＡＣ部２０が、相手側無線通信装置が挿入した各自局フィードバック情報（自装置の送信元フィードバック情報）に基づいて、各チャネルの伝送方式および伝送速度を決定するようにしているため、各チャネルの状態に適した伝送方式および伝送速度を選択することが可能となり、再送要求を抑制してスループットの向上と通信遅延を削減することができる。
【００３０】
さらに、自局フィードバック情報を試用する全てのチャネルに挿入するようにしているため、複数のチャネルのうち１つのチャネルを受信することができれば各チャネルのフィードバック情報を知ることができる。
【００３１】
実施の形態２．
図３を用いて本発明の実施の形態２を説明する。実施の形態１では、全てのチャネルに自局フィードバック情報を挿入した。この実施の形態２では、自局フィードバック情報を挿入するチャネルを限定することで、自局のフィードバック情報を相手側の無線通信装置に通知するために必要な無線帯域を提言して、無線容量の増大を実現するものである。
【００３２】
図３は、この発明における実施の形態２の無線通信装置の送受信機能の構成を示すブロック図である。この実施の形態２の無線通信装置１には、図２に示した実施の形態１の無線通信装置１にセレクタ５０が追加されている。実施の形態１と同じ機能を持つ構成部分には同一符号を付し、重複する説明は省略する。
【００３３】
セレクタ５０は、受信チャネル処理部１１０〜１３０から入力される各自局チャネル受信情報に基づいて、チャネル情報処理部３０が生成した自局フィードバック情報を送信するチャネルを決定する。自局チャネル受信情報は、Ｃ／ＵやＤ／Ｕといった情報である。セレクタ５０は、これらの自局チャネル受信情報から、各チャネルの通信状態を判定して、最も通信状態のよいチャネルを選択する。すなわち、各チャネルの自局チャネル受信情報から、どのチャネルを使用して自局フィードバック情報を送信すれば、高確率で相手側無線通信装置に自局フィードバック情報を通知できるかを選択する。なお、選択方法はこれに限るものではなく、たとえば、チャネル情報を用いることなく、特定の数の特定チャネルを用いるようにしてもよい。
【００３４】
つぎに、この発明における実施の形態２の無線通信装置の動作を説明する。まず、受信動作を説明する。受信チャネル処理部１１０〜１３０は、それぞれ対応するチャネルの入力受信信号を受信して同期処理、復調処理および復号処理を施して、復号信号をＭＡＣ部２０に出力するとともに、それぞれのチャネルの受信レベルと、受信チャネル処理内部情報とに基づいて自局チャネル受信情報を生成する。そして、生成した自局チャネル受信情報をチャネル情報処理部３０とセレクタ５０とに出力する。また、受信チャネル処理部１１０〜１３０は、入力受信信号内にフィードバック情報が含まれている場合には、フィードバック情報を送信元フィードバック情報としてチャネル情報処理部３０に出力する。
【００３５】
ＭＡＣ部２０は、受信チャネル処理部１１０〜１３０からそれぞれ入力される復号信号に対してプロトコル変換、フレーム変換等の処理を行って受信フレームを生成して上位レイヤに出力する。また、フィードバック情報が含まれている場合には、復号信号内のフィードバック情報を送信元フィードバック情報としてチャネル情報処理部３０に出力する。
【００３６】
つぎに、送信動作について説明する。チャネル情報処理部３０は、受信チャネル処理部１１０〜１３０から入力される各自局チャネル受信情報およびリソース情報に基づいて自局フィードバック情報を生成し、生成した自局フィードバック情報をセレクタ５０に出力する。また、受信チャネル処理部１１０〜１３０またはＭＡＣ部２０の何れかから入力される送信元フィードバック情報の各チャネルのフィードバック情報をＭＡＣ部２０に出力する。
【００３７】
ＭＡＣ部２０は、上位レイヤから入力される送信フレームに対してプロトコル変換、フレーム変換等の処理を行って各チャネルの送信フレームを生成する。そして、生成した各送信フレームを送信チャネル処理部４１０〜４３０に出力する。また、ＭＡＣ部２０は、チャネル情報処理部３０とリソース情報を交換して、チャネル情報処理部３０から入力される送信元からの各チャネルのフィードバック情報に基づいて各チャネルの伝送方式および伝送速度を決定する。そして、各チャネル毎に決定した伝送方式および伝送速度を伝送制御情報として送信チャネル処理部４１０〜４３０に出力する。
【００３８】
セレクタ５０は、受信チャネル処理部１１０〜１３０から入力される各自局チャネル受信情報に基づいて、チャネル情報処理部３０が生成した自局フィードバック情報を送信するチャネルを決定する。そして、決定したチャネルに対応する送信チャネル処理部に自局フィードバック情報を出力する。
【００３９】
送信チャネル処理部４１０〜４３０は、ＭＡＣ部２０から入力されるそれぞれの伝送制御情報に基づいてチャネルの伝送方式および伝送速度を選択する。そして、選択した伝送方式および伝送速度に基づいて、ＭＡＣ部２０から入力される送信フレームに対して、符号化処理、変調処理を施して無線信号を生成する。その際に、セレクタ５０から自局フィードバック情報が入力された場合には、送信フレームと自局フィードバック情報に対して符号化処理、変調処理を施して無線信号を生成する。そして、生成した無線信号を出力する。
【００４０】
このようにこの実施の形態２では、セレクタ５０が、受信チャネル処理部１１０〜１３０から入力される各自局チャネル受信情報に基づいて、チャネル情報処理部３０が生成した自局フィードバック情報を送信するチャネルを決定するようにして、自局フィードバック情報を挿入するチャネルを限定するようにしているため、相手側無線通信装置に自局フィードバック情報を通知する無線帯域を低減して、無線容量の増大を実現することができる。
【００４１】
なお、この実施の形態２ではセレクタ５０を独立させた構成としたが、セレクタ５０の機能をチャネル情報処理部３０に含めた形でもかまわない。
【００４２】
実施の形態３．
図４を用いて本発明の実施の形態３を説明する。図４は、この発明における実施の形態３の無線通信装置の送受信機能の構成を示すブロック図である。この実施の形態３の無線通信装置１には、図１に示した実施の形態１の無線通信装置１のＭＡＣ部２０の代わりにＭＡＣ部２０ａを、チャネル情報処理部３０の代わりにチャネル処理コントローラ部６０（特許請求の範囲でいうところのチャネル情報処理部）を備えている。
【００４３】
ＭＡＣ部２０ａは、受信チャネル処理部１１０〜１３０からそれぞれ入力される復号信号に対してプロトコル変換、フレーム変換等の処理を行って受信フレームを生成して上位レイヤに出力するとともに、各受信フレーム内のアドレス情報（送信元アドレス）をチャネル処理コントローラ部６０に出力する。また、ＭＡＣ部２０ａは、上位レイヤから入力される送信フレームに対してプロトコル変換、フレーム変換等の処理を行って各チャネルの送信フレームを生成する。
【００４４】
チャネル処理コントローラ部６０は、物理層に属し、同じ物理層に属する受信処理部１０および送信処理部４０のタイミング制御およびフィードバック処理制御を行う。チャネル処理コントローラ部６０は、各アドレス情報または各チャネルの入力受信信号にから相手先無線通信装置の送信元アドレスを識別して、送信元アドレスと各自局チャネル受信情報とを対応させた自局フィードバックテーブルを作成する。具体的には、送信元アドレスと受信チャネル処理部１１０〜１３０のそれぞれの自局チャネル受信情報とを対応させた自局フィードバックテーブルを生成する。また、チャネル処理コントローラ部６０は、受信チャネル処理部１１０〜１３０から入力される各送信元フィードバック情報に基づいてそれぞれのチャネルの伝送方式および伝送速度を決定する。そして、決定した伝送方式および伝送速度についても、送信元アドレスに対応して各チャネル毎に自局フィードバックテーブルに登録しておく。なお、自局フィードバックテーブルには、送信元アドレスに対応して送信元フィードバック情報を登録しておき、送信の際に、この送信元フィードバック情報に基づいて伝送方式および伝送速度を決定するようにしてもよい。
【００４５】
つぎに、この発明における実施の形態３の無線通信装置の動作を説明する。まず、受信動作を説明する。受信チャネル処理部１１０〜１３０は、それぞれ対応するチャネルの入力受信信号を受信して同期処理、復調処理および復号処理を施して、復号信号をＭＡＣ部２０ａに出力するとともに、それぞれのチャネルの受信レベルと、受信チャネル処理内部情報とに基づいて自局チャネル受信情報を生成する。そして、生成した自局チャネル受信情報をチャネル処理コントローラ部６０に出力する。また、受信チャネル処理部１１０〜１３０は、入力受信信号内にフィードバック情報が含まれているか否かを判定して、入力受信信号内にフィードバック情報が含まれている場合には、受信入力内のフィードバック情報を送信元フィードバック情報としてチャネル情報処理部３０に出力する。
【００４６】
ＭＡＣ部２０ａは、受信チャネル処理部１１０〜１３０からそれぞれ入力される復号信号に対してプロトコル変換、フレーム変換等の処理を行って受信フレームを生成して上位レイヤに出力する。また、ＭＡＣ部２０ａは、各受信フレーム内の送信元アドレスをチャネル処理コントローラ部６０に出力する。
【００４７】
チャネル処理コントローラ部６０は、ＭＡＣ部２０ａから入力された各送信元アドレスまたは各チャネルの入力受信信号にから相手先無線通信装置の送信元アドレスを識別して、送信元アドレスと各自局チャネル受信情報とを対応させた自局フィードバックテーブルを作成する。
【００４８】
つぎに、送信動作を説明する。ＭＡＣ部２０ａは、上位レイヤから入力される送信フレームに対してプロトコル変換、フレーム変換等の処理を行って各チャネルの送信フレームを生成する。そして、生成した各送信フレームを送信チャネル処理部４１０〜４３０に出力する。また、ＭＡＣ部２０ａは、各送信フレーム内の宛先アドレスをチャネル処理コントローラ部６０に出力する。
【００４９】
チャネル処理コントローラ部６０は、宛先アドレスをキーワードにして、自局フィードバックテーブルを検索して、各チャネルの自局フィードバックテーブル、伝送方式および伝送速度をそれぞれ決定する。自局フィードバック情報テーブルを生成した際の送信元アドレスに対してデータを送信する際には、ＭＡＣ部２０ａが生成した送信フレームの宛先アドレスをキーワードとして自局フィードバックテーブルを検索すればよい。チャネル処理コントローラ部６０は、各チャネル毎に決定した自局フィードバック情報、伝送方式および伝送速度を対応する送信チャネル処理部４１０〜４４０にそれぞれ出力する。
【００５０】
送信チャネル処理部４１０〜４３０は、チャネル処理コントローラ部６０から入力それぞれの伝送方式および伝送速度に基づいてチャネルの伝送方式および伝送速度を選択する。そして、選択した伝送方式および伝送速度に基づいて、ＭＡＣ部２０ａから入力される送信フレームおよびチャネル処理コントローラ部６０から入力される自局フィードバック情報に対して、符号化処理、変調処理を施して無線信号を生成する。そして、生成した無線信号を出力する。
【００５１】
このようにこの実施の形態３では、ＭＡＣ部２０ａが送信元アドレスおよび宛先アドレスをチャネル処理コントローラ部６０に通知し、チャネル処理コントローラ部６０が、送信元アドレスと自局フィードバック情報とを対応して自局フィードバックテーブルを生成し、送信時には、チャネル処理コントローラ部６０が自局フィードバックテーブルに基づいて自局フィードバック情報を生成するとともに、各チャネルの伝送方式および伝送速度を決定するようにしているため、物理層に閉じて処理を行うことができ、ＭＡＣ層以上のシステム変更に対して簡単に適応することができる。
【００５２】
また、物理層で閉じて処理することができるため、たとえば、送信フレームに対して応答フレームを返信するシステムの場合、応答フレームの一部に自局フィードバック情報を挿入することができ、最短時間で自局フィードバック情報を相手側無線通信装置に通知することで、伝送路の変動状態が激しく、各チャネルの無線信号の劣化が激しい場合でも高速なフィードバック処理が可能となる。
【００５３】
実施の形態４．
図５を用いて本発明の実施の形態４を説明する。図５は、この発明における実施の形態４の無線通信装置１の送受信機能の構成を示すブロック図である。この実施の形態４の無線通信装置１には、図２に示した実施の形態１の無線通信装置１のチャネル情報処理部３０が削除されており、ＭＡＣ部２０の代わりにＭＡＣ部２０ｂを備えている。実施の形態１と同じ機能を持つ構成部分には同一符号を付し、重複する説明は省略する。
【００５４】
受信動作時には、ＭＡＣ部２０ｂは、受信チャネル処理部１１０〜１３０からそれぞれ入力される復号信号に含まれるフィードバック情報を抽出する。そして、各チャネル毎の自局チャネル受信情報および抽出したフィードバック情報を送信元アドレスに対応させた自局フィードバック情報テーブルを生成する。また、ＭＡＣ部２０ｂは、受信チャネル処理部１１０〜１３０からそれぞれ入力される復号信号に対してプロトコル変換、フレーム変換等の処理を行って受信フレームを生成して上位レイヤに出力する。
【００５５】
送信動作時には、ＭＡＣ部２０ｂは、上位レイヤから入力される送信フレームに対してプロトコル変換、フレーム変換等の処理を行って各チャネルの送信フレームを生成する。その際に、自局フィードバック情報テーブルに基づいて、各送信フレームに自局フィードバック情報を挿入するとともに、各チャネルの伝送方式および伝送速度を決定する。
【００５６】
つぎに、この発明における実施の形態４の無線通信装置の動作について説明する。まず、受信動作について説明する。受信チャネル処理部１１０〜１３０は、それぞれ対応するチャネルの入力受信信号を受信して同期処理、復調処理および復号処理を施して復号信号を生成するとともに、それぞれのチャネルの入力受信信号の受信レベルを測定して、測定した各受信レベルと、受信チャネル処理内部情報とに基づいて自局チャネル受信情報を生成する。受信チャネル処理部１１０〜１３０は、それぞれの復号信号および自局チャネル受信情報をＭＡＣ部２０ｂに出力する。
【００５７】
ＭＡＣ部２０ｂは、受信チャネル処理部１１０〜１３０からそれぞれ入力される復号信号から、フィードバック情報を抽出する。そして、各チャネル毎の自局チャネル受信情報および抽出したフィードバック情報を送信元アドレスに対応させた自局フィードバック情報テーブルを生成する。また、ＭＡＣ部２０ｂは、フィードバック情報を抽出した復号信号に対してプロトコル変換、フレーム変換等の処理を行って受信フレームを生成して上位レイヤに出力する。
【００５８】
つぎに、送信動作について説明する。ＭＡＣ部２０ｂは、上位レイヤから入力される送信フレームに対してプロトコル変換、フレーム変換等の処理を行って各チャネルの送信フレームを生成する。ＭＡＣ部２０ｂは、各チャネルの送信フレームを生成する際に、宛先アドレスをキーワードにして、自局フィードバック情報テーブルを検索して、各チャネルの自局チャネル受信情報を抽出する。そして、各チャネルに対応した自局チャネル受信情報に基づいて自局フィードバック情報を生成し、生成した自局フィードバック情報を各チャネルの送信フレームの所定の箇所に挿入する。また、宛先アドレスをキーワードにして自局フィードバック情報テーブルを検索して、宛先アドレスに対応する各チャネルのフィードバック情報を抽出する。そして、各チャネルに対応したフィードバック情報に基づいて伝送方式および伝送速度を決定し、決定した伝送方式および伝送速度を伝送速度情報として送信チャネル処理部４１０〜４３０に出力する。
【００５９】
送信チャネル処理部４１０〜４３０は、ＭＡＣ部２０ｂから入力されるそれぞれの伝送制御情報に基づいてチャネルの伝送方式および伝送速度を選択する。そして、選択した伝送方式および伝送速度に基づいて、ＭＡＣ部２０ｂから入力される送信フレームおよびチャネル情報処理部３０から入力される自局フィードバック情報に対して、符号化処理、変調処理を施して無線信号を生成する。そして、生成した無線信号を出力する。
【００６０】
このようにこの実施の形態４では、ＭＡＣ部２０ｂが、各チャネル毎の自局チャネル受信情報および抽出したフィードバック情報を送信元アドレスに対応させた自局フィードバック情報テーブルを生成し、送信フレーム内の適切な箇所に自局フィードバック情報を挿入するようにしているため、新たに自局フィードバック情報を挿入する手段を持つことなく、相手側無線通信装置に自局フィードバック情報を通知することができ、無線通信装置の効率低下を軽減することができる。
【００６１】
また、ＭＡＣ層に閉じた構成で自局フィードバック情報を通知するとともに、伝送方式および伝送速度を決定することができるため、複数チャネルを使用する異なる物理層のシステムに対しても適用することができる。
【００６２】
さらに、ＭＡＣ層で閉じて処理することができるため、たとえば、送信フレームに対して応答フレームを返信するシステムの場合、応答フレームの一部に自局自局フィードバック情報を相手側無線通信装置に通知するための無線帯域を低減して、無線容量の増大を実現するこフィードバック情報を挿入することができ、最短時間で自局フィードバック情報を相手側無線通信装置に通知することで、伝送路の変動状態が激しく、各チャネルの無線信号の劣化が激しい場合でも高速なフィードバック処理が可能となる。
【００６３】
なお、自局フィードバック情報を挿入する送信フレームは、各チャネルの全ての送信フレームでもよいし、各自局チャネル受信情報に基づいて自局フィードバック情報を送信するチャネルを決定するようにしてもよい。
【００６４】
実施の形態５．
図６〜図８を用いて本発明の実施の形態５を説明する。図６は、この発明における実施の形態５の無線通信装置１の送受信機能の構成を示すブロック図である。この実施の形態５の無線通信装置１は、図５に示した実施の形態４の無線通信装置１のＭＡＣ部２０ｂの代わりにＭＡＣ部２０ｃを備えている。
【００６５】
受信時には、ＭＡＣ部２０ｃは、受信チャネル処理部１１０〜１３０からそれぞれ入力される復号信号から送信元アドレスを抽出して、抽出した送信元アドレスと受信チャネル処理部１１０〜１３０から通知される自局チャネル受信情報とを対応させた自局フィードバック情報テーブルを作成する。また、各復号信号が相手側無線通信装置の自局フィードバック情報を通知するフィードバックフレームの場合、フィードバックフレーム内の送信元アドレスを抽出し、フィードバックフレーム内の各チャネル毎の送信元フィードバック情報と抽出した送信元アドレスとを対応させた送信元フィードバック情報テーブルを作成する。復号信号が通常フレームの場合には、復号信号に対してプロトコル変換、フレーム変換等の処理を行って受信フレームを生成して上位レイヤに出力する。
【００６６】
送信時には、ＭＡＣ部２０ｃは、送信フレームがフィードバックフレームの場合、自局チャネル受信情報テーブルに基づいて自局フィードバック情報を生成して、生成した自局フィードバック情報をフィードバックフレームに挿入する。ＭＡＣ部２０ｃは、送信元フィードバック情報テーブルに基づいて各チャネルの伝送方式および伝送速度を決定する。
【００６７】
つぎに、図７および図８のフローチャートを参照して、この発明における実施の形態５の無線通信装置１の動作を説明する。まず、図７のフローチャートを参照して受信動作を説明する。受信チャネル処理部１１０〜１３０は、それぞれ対応するチャネルの入力情報を受信して同期処理、復調処理および復号処理を施して復号信号を生成するとともに、それぞれのチャネルの入力受信信号の受信レベルを測定して、測定した各受信レベルと、受信チャネル処理内部情報とに基づいて自局チャネル受信情報を生成する（ステップＳ１００，Ｓ１１０）。受信チャネル処理部１１０〜１３０は、それぞれの復号信号および自局チャネル受信情報をＭＡＣ部２０ｃに出力する。
【００６８】
ＭＡＣ部２０ｃは、受信チャネル処理部１１０〜１３０からそれぞれ入力される復号信号から送信元アドレスを抽出する（ステップＳ１２０）。そして、抽出した送信元アドレスと受信チャネル処理部１１０〜１３０から通知された各自局チャネル受信情報とを対応させた自局フィードバック情報テーブルを作成する（ステップＳ１３０）。
【００６９】
ＭＡＣ部２０ｃは、各復号信号が相手側無線通信装置の自局フィードバック情報を通知するフィードバックフレームであるか否かを判定する（ステップＳ１４０）。各復号信号がフィードバックフレームの場合、ＭＡＣ部２０ｃは、復号信号から送信元フィードバック情報を抽出するなど、所定のフィードバックフレーム処理を行う（ステップＳ１５０）。そして、抽出した送信元フィードバック情報と復号信号から抽出した送信元アドレスとを対応させた送信元フィードバック情報テーブルを作成する（ステップＳ１６０）。
【００７０】
各復号信号が通常のフレームの場合、ＭＡＣ部２０ｃは、各復号信号に対してプロトコル変換、フレーム変換等の処理を行って受信フレームを生成して上位レイヤに出力する通常フレーム処理を行う（ステップＳ１７０）。
【００７１】
つぎに、図８のフローチャートを参照して送信動作を説明する。ＭＡＣ部２０ｃは、上位レイヤから入力される送信フレームから宛先アドレスを抽出する（ステップＳ２００）。そして、送信フレームがフィードバックフレームであるか否かを判定する（ステップＳ２１０）。送信フレームがフィードバックフレームの場合、ＭＡＣ部２０ｃは、抽出した宛先アドレスをキーワードに自局フィードバック情報テーブルを検索し、各チャネルの自局チャネル受信情報を抽出する。そして、抽出した各チャネルの自局チャネル受信情報から自局フィードバック情報を生成する（ステップＳ２２０）。そして、生成した自局フィードバック情報をフィードバックフレームに挿入して、フィードバックフレームを生成する（ステップＳ２３０）。
【００７２】
ＭＡＣ部２０ｃは、抽出した宛先アドレスをキーワードにして、送信元フィードバック情報テーブルを検索して、宛先アドレスに対応する各チャネルの送信元フィードバック情報を抽出する。そして、各チャネルに対応したフィードバック情報に基づいて伝送方式および伝送速度を決定し、決定した伝送方式および伝送速度を伝送速度情報として送信チャネル処理部４１０〜４３０に出力する（ステップＳ２４０）。
【００７３】
送信チャネル処理部４１０〜４３０は、ＭＡＣ部２０ｃから入力されるそれぞれの伝送制御情報に基づいてチャネルの伝送方式および伝送速度を選択する。そして、選択した伝送方式および伝送速度に基づいて、ＭＡＣ部２０ｃから入力される送信フレームに対して、符号化処理、変調処理を施して無線信号を生成する。そして、生成した無線信号を出力する（ステップＳ２５０）。
【００７４】
送信フレームが通常フレームの場合、ＭＡＣ部２０ｃは、プロトコル変換、フレーム変換等の処理を行って各チャネルの送信フレームを生成する通常フレーム処理を行う（ステップＳ２６０）。また、ＭＡＣ部２０ｃは、抽出した宛先アドレスをキーワードにして、送信元フィードバック情報テーブルを検索して、宛先アドレスに対応する各チャネルの送信元フィードバック情報を抽出する。そして、各チャネルに対応したフィードバック情報に基づいて伝送方式および伝送速度を決定し、決定した伝送方式および伝送速度を伝送速度情報として送信チャネル処理部４１０〜４３０に出力する（ステップＳ２４０）。
【００７５】
送信チャネル処理部４１０〜４３０は、ＭＡＣ部２０ｃから入力されるそれぞれの伝送制御情報に基づいてチャネルの伝送方式および伝送速度を選択する。そして、選択した伝送方式および伝送速度に基づいて、ＭＡＣ部２０ｃから入力される送信フレームに対して、符号化処理、変調処理を施して無線信号を生成する。そして、生成した無線信号を出力する（ステップＳ２５０）。
【００７６】
このようにこの実施の形態５では、自局フィードバック情報を送信する専用のフレームを設けるようにしているため、既存のシステムに対する変更を必要とせず、制御や処理を簡単にして、相手側無線通信装置に各チャネルのフィードバック情報を通知することができ、各チャネルに適した伝送方式および伝送速度を選択することができる。
【００７７】
なお、自局フィードバック情報を送信する専用のフレームを定期的に送信する場合、伝送路の変動に対して短い周期で専用のフレームを送信する必要がある。そのため、スループットが低下してしまう。また、送信ができない場合には、自局フィードバック情報の信頼度が低くなり、通信エラーを起こすことがある。このような場合、伝送路の変動を受信チャネル処理部１１０〜１３０で検出して、ＭＡＣ部２０ｃが、伝送路の変動を判定して自局フィードバック情報を送信する専用のフレームの送信間隔を決定するようにすればよい。
【００７８】
実施の形態６．
図９および図１０を用いて本発明の実施の形態６を説明する。図９は、この発明における実施の形態６の無線通信装置の送受信機能の構成を示すブロック図である。この実施の形態６の無線通信装置１は、図６に示した実施の形態５のＭＡＣ部２０ｃの代わりにＭＡＣ部２０ｄを備えている。実施の形態５と同じ機能を持つ構成部分には同一符号を付し、重複する説明は省略する。
【００７９】
受信動作時には、ＭＡＣ部２０ｄは、実施の形態５のＭＡＣ部２０ｃの受信動作時と同様の機能に加え、自局フィードバック情報テーブルおよび送信元フィードバック情報テーブルを作成する際に作成時刻も登録する機能を有している。
【００８０】
送信動作時には、ＭＡＣ部２０ｄは、上位レイヤから入力される送信フレームに対してプロトコル変換、フレーム変換等の処理を行って各チャネルの送信フレームを生成する。その際に、その際に、自局フィードバック情報テーブルに基づいて、各送信フレームに自局フィードバック情報を挿入するとともに、各チャネルの伝送方式および伝送速度を決定する。
【００８１】
図１０のフローチャートを参照して、この発明における実施の形態６の無線通信装置１の動作を説明する。まず、受信動作を説明する。受信チャネル処理部１１０〜１３０は、それぞれ対応するチャネルの入力情報を受信して同期処理、復調処理および復号処理を施して復号信号を生成するとともに、それぞれのチャネルの入力受信信号の受信レベルを測定して、測定した各受信レベルと、受信チャネル処理内部情報とに基づいて自局チャネル受信情報を生成する。受信チャネル処理部１１０〜１３０は、それぞれの復号信号および自局チャネル受信情報をＭＡＣ部２０ｄに出力する。
【００８２】
ＭＡＣ部２０ｄは、受信チャネル処理部１１０〜１３０からそれぞれ入力される復号信号から送信元アドレスを抽出する。そして、抽出した送信元アドレスと受信チャネル処理部１１０〜１３０から通知された各自局チャネル受信情報と現在時刻とを対応させた自局フィードバック情報テーブルを作成する。
【００８３】
ＭＡＣ部２０ｄは、各復号信号内にフィードバック情報が含まれているか否かを判定して、フィードバック情報が含まれている場合には、復号信号内のフィードバック情報を抽出する。ＭＡＣ部２０ｄは、復号信号内から抽出した送信元フィードバック情報と抽出した送信元アドレスと現在時刻とを対応させた送信元フィードバック情報テーブルを作成する。
【００８４】
ＭＡＣ部２０ｄは、各復号信号に対してプロトコル変換、フレーム変換等の処理を行って受信フレームを生成して上位レイヤに出力する。
【００８５】
つぎに、図１０のフローチャートを参照して、送信動作を説明する。ＭＡＣ部２０ｄは、上位レイヤから入力される送信フレームから宛先アドレスを抽出する（ステップＳ３００）。
【００８６】
ＭＡＣ部２０ｄは、抽出した宛先アドレスをキーワードに自局フィードバック情報テーブルを検索して、各チャネルの自局チャネル受信情報およびその作成時刻を抽出する（ステップＳ３１０）。ＭＡＣ部２０ｄは、抽出した作成時刻と現在時刻との差を算出する。そして、算出結果が予め定められた基準値内であるかを判定する（ステップＳ３２０）。算出結果が予め定められた基準値内の場合、ＭＡＣ部２０ｄは、抽出した各チャネルの自局チャネル受信情報から自局フィードバック情報を送信フレームの所定の箇所に挿入する（ステップＳ３３０）。算出結果が予め定められた基準値を超えていた場合には、ＭＡＣ部２０ｄは、各チャネルの自局チャネル受信情報が作成されてから時間がたっているために現在の各チャネルの状態と異なっていると判断して、送信フレームにフィードバック情報を挿入しない。ＭＡＣ部２０ｄは、送信フレームに対してプロトコル変換、フレーム変換等の処理を行って各チャネルの送信フレームを生成する。そして、生成した各送信フレームを送信チャネル処理部４１０〜４３０に出力する。
【００８７】
ＭＡＣ部２０ｄは、抽出した宛先アドレスをキーワードに送信元フィードバック情報テーブルを検索して、各チャネルの送信元フィードバック情報およびその作成時刻を抽出する（ステップＳ３４０）。ＭＡＣ部２０ｄは、抽出した作成時刻と現在時刻との差を算出する。そして、算出結果が予め定められた基準値内であるかを判定する（ステップＳ３５０）。算出結果が予め定められた基準値内の場合、ＭＡＣ部２０ｄは、抽出した送信元フィードバック情報に基づいて各チャネルの伝送方式および伝送速度を決定する（ステップＳ３６０）。算出結果が予め定められた基準値を超えていた場合には、ＭＡＣ部２０ｄは、各チャネルの自局チャネル受信情報が作成されてから時間がたっているために現在の各チャネルの状態と異なっていると判断して、予め定められている伝送方式および伝送速度を用いることを決定する（ステップＳ３７０）。ＭＡＣ部２０ｄは、決定した伝送方式および伝送速度を送信チャネル処理部４１０〜４３０に通知する。
【００８８】
送信チャネル処理部４１０〜４３０は、ＭＡＣ部２０ｄから入力されるそれぞれの伝送制御情報に基づいてチャネルの伝送方式および伝送速度を選択する。そして、選択した伝送方式および伝送速度に基づいて、ＭＡＣ部２０ｄから入力される送信フレームに対して、符号化処理、変調処理を施して無線信号を生成する。そして、生成した無線信号を出力する（ステップＳ３８０）。
【００８９】
このようにこの実施の形態６では、自局チャネル受信情報テーブルおよび送信元フィードバック情報テーブルを作成する際に、その作成時刻を登録しておき、自局チャネル受信情報および送信元フィードバック情報を用いるか否かを、それらを作成した時刻と現在時刻とを比較して、信頼度を判定するようにしているため、伝送路の状態の時間的変動に適した情報を用いることができ、無駄な通信料を削減することができる。
【００９０】
なお、この実施の形態６では、自局フィードバック情報を送信フレームに挿入する場合を例にあげて説明したが、送信元アドレスと各自局チャネル受信情報と現在時刻とを対応させた自局フィードバック情報テーブルおよび送信元フィードバック情報と抽出した送信元アドレスと現在時刻とを対応させた送信元フィードバック情報テーブルを作成することで、実施の形態１〜５にも適用することが可能であることはいうまでもない。
【００９１】
【発明の効果】
以上説明したように、この発明にかかる無線通信装置によれば、受信処理部が各チャネルの入力受信信号の受信状態に基づいて自局チャネル受信情報を生成し、チャネル情報処理部が、受信処理部が生成した自局チャネル受信情報に基づいて自局フィードバック情報を生成し、生成した自局フィードバック情報を無線信号に挿入して送信するようにしているため、相手側無線通信装置に、各チャネルの状態を通知することができ、相手側無線通信装置が各チャネルの状態に適した伝送方式および伝送速度を選択することができる。
【図面の簡単な説明】
【図１】この発明における無線通信装置が適用される無線通信システムの構成を示す概略図である。
【図２】この発明における実施の形態１の無線通信装置の送受信機能の構成を示すブロック図である。
【図３】この発明における実施の形態２の無線通信装置の送受信機能の構成を示すブロック図である。
【図４】この発明における実施の形態３の無線通信装置の送受信機能の構成を示すブロック図である。
【図５】この発明における実施の形態４の無線通信装置の送受信機能の構成を示すブロック図である。
【図６】この発明における実施の形態５の無線通信装置の送受信機能の構成を示すブロック図である。
【図７】この発明における実施の形態５の無線通信装置の受信動作を説明するためのフローチャートである。
【図８】この発明における実施の形態５の無線通信装置の送信動作を説明するためのフローチャートである。
【図９】この発明における実施の形態６の無線通信装置の送受信機能の構成を示すブロック図である。
【図１０】この発明における実施の形態６の無線通信装置の送信動作を説明するためのフローチャートである。
【符号の説明】
１，２，３，４  無線通信装置、１０  受信処理部、２０，２０ａ，２０ｂ，２０ｃ，２０ｄ  ＭＡＣ部、３０  チャネル情報処理部、４０  送信処理部、５０  セレクタ、６０  チャネル処理コントローラ部、１１０，１２０，１３０  受信チャネル処理部、４１０，４２０，４３  送信チャネル処理部。
【図１】
2005012454.tif 000003
【図２】
2005012454.tif 000004
【図３】
2005012454.tif 000005
【図４】
2005012454.tif 000006
【図５】
2005012454.tif 000007
【図６】
2005012454.tif 000008
【図７】
2005012454.tif 000009
【図８】
2005012454.tif 000010
【図９】
2005012454.tif 000011
【図１０】
2005012454.tif 000012